(57)【要約】【課題】腰痛のトリガーポイントである仙腸関節付近の大殿筋付着部の筋肉と、上前腸骨棘付近の中殿筋付着部の筋肉をほぐして、腰痛を緩和させる腰痛ベルトを提供する。【解決手段】帯状のベルト本体２の内面中央部に、左右一対のベルト幅方向に向けて２列の突起４，４を設けて、２列の突起が仙腸関節付近の大殿筋付着部の筋肉を挟むように患部を押圧するようにする。さらに、２列の突起の外側に、左右一対のベルト幅方向に向けてステー５，５を取り付けて、ステーが上前腸骨棘付近の中殿筋付着部の筋肉を支えるようにする。【選択図】図１
2017047143.tif 000002
【特許請求の範囲】
【請求項１】
帯状のベルト本体と、前記ベルト本体の両端部に設けられ、互いに係止される面ファスナーとを有する腰痛ベルトであって、
前記ベルト本体が、その内面中央部に、左右一対のベルト幅方向に向けて２列の突起を備えていること特徴とする腰痛ベルト。
【請求項２】
前記２列の突起が球体から成り、前記球体がずれ動くように保持されていること特徴とする請求項１に記載の腰痛ベルト。
【請求項３】
前記ベルト本体が、その内面であって前記２列の突起の外側に、左右一対のベルト幅方向に向けてステーを備えていること特徴とする請求項２に記載の腰痛ベルト。
【発明の詳細な説明】
【技術分野】
【０００１】
この発明は、腰痛ベルトに関し、特に腰痛のトリガーポイントである仙腸関節付近の大殿筋付着部の筋肉と、上前腸骨棘（きょく）付近の中殿筋付着部の筋肉をほぐして、腰痛を緩和させる腰痛ベルトに関する。
【背景技術】
【０００２】
腰痛ベルトとしては、ベルトの中央部に複数の補強片を配置し、補強片の間に指圧効果粒状物を配置することで、この粒状物が腰椎（ようつい）の両側を押圧して、腰部に指圧と同じような効果を与えるものが提案されている（例えば、特許文献１参照）。
【０００３】
また、別の腰痛ベルトとしては、ベルトの中央部に一対の指圧用突起部を左右対称に配置することで、腰椎を挟み左右対称的に配置される各ツボのいずれかを刺激するものが提案されている（例えば、特許文献２参照）。
【先行技術文献】
【特許文献】
【０００４】
【特許文献１】特開２００２−３４５８６６公報（段落００１６，００１７、図２）
【特許文献２】特開平１１−２５３５２４号公報（段落０００８，００２７、図２）
【発明の概要】
【発明が解決しようとする課題】
【０００５】
しかしながら、前記特許文献１に係る腰痛ベルトでは、指圧効果粒状物を補強片の間の、主ベルトの布地に１列に取り付けているために、１列の粒状物では腰部のツボを的確に押圧しにくく、たまたま粒状物が腰部のツボを押圧してもツボからずれやすい。
【０００６】
前記特許文献２に係る腰痛ベルトでは、親指の腹部分程度の大きさと形状に形成された指圧用突起部を左右対称に配置しているために、左右に一つずつの突起部では腰部のツボを的確に押圧しにくく、たまたま突起部が腰部のツボを押圧してもツボからずれやすい。
【０００７】
そこで、この発明では、前記した課題を解決し、患者が訴える腰の痛みは関連痛であり、実際に施術しなければならないトリガーポイントは腰とは別の所にあるとの新たな知見に基づいて、腰痛のトリガーポイントである仙腸関節付近の大殿筋付着部の筋肉と、上前腸骨棘付近の中殿筋付着部の筋肉をほぐして腰痛を緩和させる腰痛ベルトを提供することを目的とする。
【課題を解決するための手段】
【０００８】
前記課題を解決するため、請求項１に係る発明では、腰痛ベルトを帯状のベルト本体と、ベルト本体の両端部に設けられ互いに係止される面ファスナーとを有して構成し、ベルト本体の内面中央部に、左右一対のベルト幅方向に向けて２列の突起を設けた。
【０００９】
請求項２に係る発明では、２列の突起を球体で構成し、この球体をベルト本体の内面にずれ動くように留め置いた。
【００１０】
請求項３に係る発明では、ベルト本体の内面であって２列の突起の外側に、左右一対のベルト幅方向に向けてステーを取り付けた。
【発明の効果】
【００１１】
請求項１に係る発明によれば、ベルト本体の内面中央部に、左右一対のベルト幅方向に向けて２列の突起を設けたので、腰痛ベルトを腰骨より下の位置に装着すると、２列の突起によって腰痛のトリガーポイントである仙腸関節付近の大殿筋付着部の筋肉を挟むことができる。そこで、請求項１に係る発明によれば、腰痛ベルトを装着した状態、すなわち２列の突起によって仙腸関節付近の大殿筋付着部の筋肉を挟んだ状態で、日常の動作をすると、２列の突起によって仙腸関節付近の大殿筋付着部の筋肉を揉（も）みほぐして、腰痛を緩和させることができる。
【００１２】
この効果をより詳しく説明すると、請求項１に係る発明によれば、２列の突起によって腰痛のトリガーポイントである仙腸関節付近の大殿筋付着部の筋肉を挟んでいるところ、日常の動作、例えば歩行をすると、大殿筋の収縮や弛緩の繰り返しに合わせて、２列の突起によって挟まれた筋肉が躍動して動く。そのため、請求項１に係る発明によれば、腰痛ベルトを装着して日常の動作をすることで、２列の突起によって挟まれた筋肉が躍動して動くことから、筋肉が２列の突起によって揉まれたのと同じ状態になり、腰痛のトリガーポイントである仙腸関節付近の大殿筋付着部の筋肉をほぐすことができる。
【００１３】
また、請求項１に係る発明によれば、ベルト本体の内面中央部に、左右一対のベルト幅方向に向けて２列の突起を設けたので、押圧したい部位、具体的には腰痛のトリガーポイントである仙腸関節付近の大殿筋付着部の筋肉を挟み込むように押圧でき、押圧したい部位を外しにくい。なお、従来の１点や１列による押圧では、体に丸みがあることもあって、押圧したい部位を外しやすかった。
【００１４】
請求項２に係る発明によれば、２列の突起を球体で構成したので、褥瘡（じょくそう）（一般的に「床ずれ」ともいわれる。）を防止することができる。
【００１５】
この効果をより詳しく説明すると、褥瘡は同じ部位に長い時間の圧迫が加わるとできるところ、請求項２に係る発明によれば、２列の突起を球体で構成したので、複数の点で押圧することになり、患部への圧迫を分散させることができる。
【００１６】
また、請求項２に係る発明によれば、球体をずれ動くように留め置いたので、球体は加わる力の角度の変化に追従してその位置でずり動くことになり、球体に加わる力の角度が変わっても、押圧したい部位をとらえ続けることができる。そこで、請求項２に係る発明によれば、腰痛ベルトを装着した状態で動いても、腰痛のトリガーポイントである仙腸関節付近の大殿筋付着部の筋肉を押圧し続けることができる。
【００１７】
請求項３に係る発明によれば、ベルト本体の内面であって２列の突起の外側に、左右一対のベルト幅方向に向けてステーを取り付けたので、腰痛ベルトを腰骨の下に装着すると、ステーによって上前腸骨棘付近の中殿筋付着部を支えることができる。そこで、請求項３に係る発明によれば、ステーによって上前腸骨棘付近の中殿筋付着部を支えることで、腰痛でも楽に歩けるようにできる。そのため、請求項３に係る発明によれば、腰痛ベルトを装着すると腰痛でも楽に歩けるので、歩くことによって腰痛のトリガーポイントである仙腸関節付近の大殿筋付着部の筋肉をほぐして、腰痛を緩和させることができる。
【００１８】
また、請求項３に係る発明によれば、ステーによって上前腸骨棘付近の中殿筋付着部を支えている、言い換えると押圧しているので、日常の動作をすると、ステーによって腰痛のトリガーポイントの一つである上前腸骨棘付近の中殿筋付着部の筋肉を揉むように押圧することもでき、腰痛のトリガーポイントである上前腸骨棘付近の中殿筋付着部の筋肉をほぐすこともできる。
【図面の簡単な説明】
【００１９】
【図１】実施形態に係る腰痛ベルトの斜視図である。
【図２】実施形態に係る腰痛ベルトを装着した状態を示す斜視図である。
【発明を実施するための形態】
【００２０】
まず、この発明の創作の基礎となる事項について簡単に説明する。発明者は、柔道整復師であり、日ごと脱きゅうや打撲などのけが、日常に起こり得る肩こりや腰痛などの治療を行っている。そして、発明者は、整骨院を開業して以来、体への負担の少ない施術を心掛けていて、特に日常生活の中に原因の多くがみられる腰痛に対する効果的な施術のため、継続的な通院を勧めてきたところ、仕事や家事などで継続的に通院できない患者がいることにジレンマを感じていた。そして、「あと一日ご通院いただければ」、「あと一回施術させていただければ」という思いを募らせていた。
【００２１】
そうした思い中で発明者は、腰痛、特にぎっくり腰のように日常生活の中で発症する外傷性腰痛の原因のほとんどが、尻（しり）からの痛みであることを突き止めた。この発見を詳しく説明すると、尻には大殿筋や中殿筋など数種類の大きな筋肉があり、これらの筋肉は腰の周辺につながっている。そして、尻の筋肉が硬くなった状態で前かがみなどの動作をすると、硬くなった尻の筋肉が腰との付着部を引っ張り、腰にしびれるような痛みが発生する。
【００２２】
それでは、なぜ日常生活で尻の筋肉は硬くなるのか、その理由について発明者は、西洋化した私たちの日常生活においては、多くの時間をいすに座って過ごすことになり、このときに尻の筋肉が圧迫されて尻の筋肉が硬くなると考えた。そこで、日常生活の中で硬くなった尻の筋肉を直接刺激することによって腰への負担を和らげられると考えた。
【００２３】
このように考えた発明者は、腰痛の原因である、痛みの引き金となる点（以下、トリガーポイントという。）である尻の筋肉、特に筋肉の付着部（筋肉の起始と停止、または筋肉の始まりと終わりともいう。）に指圧による手技療法で施術を進めることで、数回の施術で治癒にいたるいう、良好な結果を得られるようになった。
【００２４】
良好な結果を得た発明者は、一般的な腰痛に対する施術が患者が訴える疼痛部位に限定して行われるところ、患者が訴える疼痛部位は関連痛であると考えられ、実際に施術をしなければならないトリガーポイントは腰とは別の所にあると確信した。
【００２５】
そして、発明者は、腰痛のトリガーポイントは仙腸関節付近の大殿筋付着部と、上前腸骨棘付近の中殿筋付着部であることを見いだし、さらに筋肉の付着部であれば従来のようにツボを押圧するのではなく、筋肉の付着部を挟みながら揉むことで筋肉をほぐせること見いだして、当院に通院できない人や、当院の患者であってもなかなか通院の時間を取れない患者が腰痛の悩みから解放されることを願って、この発明を創作するに至ったものである。
【００２６】
次に、この発明の実施形態について、適宜図面を参照しながら詳細に説明する。図１は、実施形態に係る腰痛ベルトの斜視図である。図１に示すように、腰痛ベルト１は、帯状のベルト本体２と、ベルト本体２の両端部に設けられ互いに係止される面ファスナー３，３とを有して構成されている。そして、腰痛ベルト１は、ベルト本体２の内面中央部に、左右一対のベルト幅方向に向けて２列の突起４，４が設けられている。さらに、腰痛ベルト１は、ベルト本体２の内面であって２列の突起４，４の外側に、左右一対のベルト幅方向に向けてステー５，５が取り付けられている。
【００２７】
２列の突起４，４は、複数の球体で構成されていて、これら複数の球体がベルト本体２の内面、言い換えると体に接する側（がわ）の面にずれ動くように留め置かれている。ここでは、２列の突起４，４は、一列当たり５個の計１０個の球体で構成されていて、球体をベルト本体２の内面に設けた袋に入れて、球体に加わる力の角度の変化に追従してその位置でずり動くように留め置かれている。
【００２８】
ステー５，５は、くの字形の板状の部材であり、曲がり出た側が体と当接するように、ベルト本体２の内面に取り付けられている。ここでは、ステー５，５は、ベルト本体２の内面に設けられたポケットに差し入れて取り付けられている。さらに、ここでは、ポケットを左右に２か所設けることで、体の大きさに応じてステー５，５の位置を調整できるようになっている。
【００２９】
図２は、実施形態に係る腰痛ベルト１を装着した状態を示す斜視図である。図２に示すように、実施形態に係る腰痛ベルト１は、腰痛ベルト１を腰骨より下の位置にセットして、２列の突起４，４が左右均等になるように尻に合わせて装着するものである。
【００３０】
図２に示すように、実施形態に係る腰痛ベルト１では、ベルト本体２の内面中央部に、左右一対のベルト幅方向に向けて２列の突起４，４が設けられているために、腰痛ベルト１を腰骨より下の位置に装着すると、２列の突起４，４が仙腸関節付近の大殿筋付着部の筋肉を挟むように患部を押圧する。そして、腰痛ベルト１を装着した状態、すなわち２列の突起４，４が仙腸関節付近の大殿筋付着部の筋肉を挟むように患部を押圧した状態で、日常の動作、例えば歩行をすると、大殿筋の収縮や弛緩の繰り返しに合わせて、２列の突起４，４によって挟まれた筋肉が躍動して動き、挟まれた筋肉が２列の突起４，４によって揉まれたのと同じ状態になる。
【００３１】
また、図２に示すように、実施形態に係る腰痛ベルト１では、２列の突起４，４が複数の球体で構成されているために、複数の点で患部が押圧され、患部への圧迫が分散する。
【００３２】
さらに、実施形態に係る腰痛ベルト１では、２列の突起４，４を構成する球体がずれ動くように留め置かれているために、球体が加わる力の角度の変化に追従してその位置でずり動き、押圧したい部位をとらえ続ける。そこで、実施形態に係る腰痛ベルト１では、腰痛ベルト１を装着した状態で動いても、押圧したい部位である仙腸関節付近の大殿筋付着部の筋肉を押圧し続けられる。
【００３３】
加えて、図２に示すように、実施形態に係る腰痛ベルト１では、ベルト本体２の内面であって２列の突起４，４の外側に、左右一対のベルト幅方向に向けてステー５，５が取り付けられているために、腰痛ベルト１を腰骨の下に装着すると、ステー５，５が上前腸骨棘付近の中殿筋付着部に押し当たる。ここでステー５，５は、くの字形に曲がり出た側が患部に当接するように取り付けられているために、ステー５，５が上前腸骨棘付近の中殿筋付着部を押し支える。
【００３４】
そして、ステー５，５が上前腸骨棘付近の中殿筋付着部を押し支えた状態で、日常の動作、例えば歩行をすると、中殿筋の収縮や弛緩の繰り返しに合わせて、ステー５，５によって押し支えられた筋肉が躍動して動き、押し支えられた筋肉がステー５，５によって揉まれたのと同じ状態になる。
【００３５】
以上、この発明の実施形態について説明したが、この発明は前記実施形態には限定されない。例えば、実施形態に係る腰痛ベルト１では、２列の突起４が球体から成ると説明したが、２列の突起４は、患部を挟むように押圧できればどのような形状でも、どのような形をしたものから成ってもかまわない。
【００３６】
また、実施形態に係る腰痛ベルト１では、球体をベルト本体２の内面に設けた袋に入れて球体がずれ動くように保持すると説明したが、球体をどのような手段で保持してもかまわない。
【００３７】
この発明においてベルト本体２の内面とは、腰痛ベルト１を装着したときに、内側すなわち体に接する側の面をいう。
【００３８】
また、この発明においてベルト本体２の中央部とは、ベルト本体２の両端部に設けられた面ファスナー３，３の間をいう。
【符号の説明】
【００３９】
１  腰痛ベルト
２  ベルト本体
３  面ファスナー
４  ２列の突起
５  ステー
【図１】
2017047143.tif 000003
【図２】
2017047143.tif 000004